(57)【特許請求の範囲】
【請求項１】
左右の戸１０ａ，１０ａの召合せ框１３ａ，１３ａ間にヒンジ体１４を配置して、左右の戸１０ａ，１０ａを折り畳み可能に連結した浴室用折り戸１０において、左右の召合せ框１３ａ，１３ａの下部にはそれぞれ召合せキャップ３０，３０が付設してあり、
ヒンジ体１４の下部の脱衣室側には止水部材２４を下垂して設けてあり、止水部材２４が左右の召合せキャップ３０，３０間の隙間をカバーしていることを特徴とする浴室用折り戸。
【請求項２】
上記止水部材２４をヒンジ体１４に付設した下部キャップ２０と一体に設けてあることを特徴とする請求項１記載の浴室用折り戸。
【発明の詳細な説明】
【０００１】
【発明の属する技術分野】
本発明は、浴室出入り口部に取付けられる折り戸のパネルの召合せ部（折れ部）において、浴室からの散水等による脱衣室側への湯水の漏れ防止を目的とした浴室用折り戸に関する。
【０００２】
【従来の技術】
従来の浴室用折り戸における防水手段の１つとして、図７に示すように、折れ曲り部、即ち、左右パネルの各召合せ框の回転部分の下端部に召合せキャップ３０，３０が設けられ、それぞれの下框１２，１２の下縁に水止め舌片１２ａが下垂状態で設けられているものがある。上記防水手段の付加によれば、浴室出入り口部の止水性が比較的高いことから、浴室用折り戸の回転部分に関する止水性についての要求がさほど高くなかった。しかし、最近、浴室用折り戸に対する高機能化（高止水性）への消費者のニーズも高まっており、従来の技術ではこれらのニーズに対応できる状況ではない。特に、折れ曲がる部分の召合せキャップ３０，３０間には、スリット状の隙間が残り、そこから湯水が脱衣室側に流れ出すことがある。この隙間をゼロにすればよいが、回転部分であり円滑な回転を確保するためには困難である。
【０００３】
【発明が解決しようとする課題】
したがって、本発明の課題は、最近の上記状況に鑑み、浴室用折り戸の左右の戸の折れ曲り部（回転部）下部において、浴室内部でのシャワー散水、バケツ散水時等における止水性の向上を図ることが出来る浴室用折り戸を提供することにある。
【０００４】
【課題を解決するための手段】
上記課題を解決するために、下記の手段を講じた。即ち、請求項１記載の浴室用折り戸は、左右の戸１０ａ，１０ａの召合せ框１３ａ，１３ａ間にヒンジ体１４を配置して、左右の戸１０ａ，１０ａを折り畳み可能に連結した浴室用折り戸１０において、左右の召合せ框１３ａ，１３ａの下部にはそれぞれ召合せキャップ３０，３０が付設してあり、ヒンジ体１４の下部の脱衣室側には止水部材２４を下垂して設けてあり、止水部材２４が左右の召合せキャップ３０，３０間の隙間をカバーしていることを特徴とする。
【０００５】
請求項２記載の浴室用折り戸は、上記の手段において、上記止水部材２４を、ヒンジ体１４に付設した下部キャップ２０と一体に設けてあることを特徴とする。
【０００６】
【発明の実施の形態】
以下、本発明の実施例を図面に従って説明する。図１は本発明に係る浴室用折り戸の要部水平断面図（Ａ）及び要部正面説明図（Ｂ）、図２は本発明に係る浴室用折り戸の正面図、図３は同浴室用折り戸の垂直断面図、図４は同浴室用折り戸の水平断面図、図５は同浴室用折り戸の召合せ框下部の縦断面図、図６は同浴室用折り戸に用いるヒンジ体の下部キャップの平面図（Ａ）、正面図（Ｂ）、側面図（Ｃ）、及びＤ−Ｄ線断面図、即ち、止水部材の水平断面図（Ｄ）である。
【０００７】
（躯体）浴室出入り口の開口部の各縁部には、上枠１、下枠２及び竪枠３，３が配置されて開口部の額縁を構成している。そして、この開口部に浴室用折り戸１０がヒンジにより開閉自在に配置される。
【０００８】
（浴室用折り戸１０）本実施例に係る浴室用折り戸１０は、２枚の戸１０ａ、１０ａの召合せ框１３ａ，１３ａ同士がヒンジ体１４により、折り畳み可能に連結された構造になっている。各戸１０ａは、上方の上框１１、側方の竪框１３、召合せ框１３ａ、及び、下方の下框１２に保持されたパネル１６とガラリ１５とからなる。また、一方の戸１０ａには、把手１８が付設されている。下框１２の下縁には水止め舌片１２ａが下枠２に向けて付設され、各召合せ框１３ａの下縁にはそれぞれ召合せキャップ３０が付設されている。
【０００９】
（ヒンジ体１４）左右の戸１０ａ，１０ａはヒンジ体１４により連結される。ヒンジ体１４には、即ち、図１に示されるように、各戸１０ａ，１０ａの第１軸部１３ｃ及び第２軸部１３ｄが回転可能に軸着されている。また、図１及び図５に示されるように、ヒンジ体１４の下部には図６に詳細を示したヒンジ体の下部キャップ２０が付設してある。
（ヒンジ体の下部キャップ２０）ヒンジ体の下部キャップ２０は図６に示される通り、平板状の軸支プレート２１、該軸支プレート２１の上面に形成されるヒンジ体１４への係止部２２、前記軸支プレート２１の脱衣室側に形成される軸支凹部２３、２３及び、前記軸支凹部２３、２３間の縁部に下垂させて設けられる止水部材２４とからなる。
【００１０】
（止水部材２４）上記止水部材２４が、召合せキャップ３０，３０間の隙間を通して浴室から脱衣室側に湯水が流れ出すことを防ぐ。図６に示すように、止水部材２４は水平断面略凸形状となっており、ヒンジ体１４の下部に付設したヒンジ体の下部キャップ２０と一体に設けられている。詳しくは、折り戸１０が閉められた状態では、図１（Ｂ）、図５に示すように、止水部材２４が、召合せキャップ３０，３０間の隙間の前部（脱衣室側）に位置し、該召合せキャップ３０，３０間の隙間を通して浴室から脱衣室側にシャワー散水、床の跳ね水などの湯水が流れることを防止する。
【００１１】
そして、上記止水部材２４は折れ曲がって開閉する召合せキャップ３０，３０間の隙間を脱衣室側において一定範囲カバーしているので、例え浴室の湯水が召合せキャップ３０，３０間の隙間を通過した場合でも、湯水はこの止水部材２４に止水され、下枠側の溝部に流下することから、脱衣室側に流れ出すことはない。なお、上記止水部材２４は、ヒンジ体の下部キャップ２０と一体成形するようにしたが、別形成して後付けとして形成してもよい。上記構成により、浴室用折り戸パネルの下部の召合せキャップ３０，３０間で脱衣室側に止水部材２４を付加することにより、脱衣室側への漏水を防ぐことが可能となる。
【００１２】
以上、本発明の実施の形態を図により説明したが、本発明の具体的な構成は図示の実施の形態に限定されるものではなく、本発明の要旨を逸脱しない範囲の設計変更は本発明に含まれる。
【００１３】
【発明の効果】
以上の説明から理解できるように、このように構成された本発明の折り戸に付設する止水部材２４により、パネルの下部回転部からの脱衣室側への漏水を防ぐことが出来、脱衣室側に水漏れがないようにすることで衛生上好ましく、また、脱衣室側への漏水が無くなることで、長年の懸案であった脱衣室側の床が腐る等の問題が解消し、さらに脱衣室側床に漏水がないことにより滑り防止の面で優れている。また、召合せキャップ３０，３０間の隙間がある程度大きくても止水部材２４により止水できるから、ヒンジ体において開閉が容易な折り戸の設計が可能となる。更に、止水部材２４は、召合せキャップ３０，３０間を閉止していることになるから、折り戸の閉時において、脱衣室側の小物が召合せキャップ３０，３０間に喰い込むようなことも避けられるという副次的効果もある。
【図面の簡単な説明】
【図１】  本発明に係る浴室用折り戸の要部水平断面図（Ａ）及び要部正面説明図（Ｂ）。
【図２】  本発明に係る浴室用折り戸の正面図。
【図３】  同浴室用折り戸の垂直断面図。
【図４】  同浴室用折り戸の水平断面図。
【図５】  同浴室用折り戸の召合せ框下部の縦断面図。
【図６】  同浴室用折り戸に用いるヒンジ体の下部キャップの平面図（Ａ）、正面図（Ｂ）、側面図（Ｃ）、及びＤ−Ｄ線断面図、即ち、止水部材の水平断面図（Ｄ）。
【図７】  従来技術に係る浴室用折り戸の要部正面説明図。
【符号の説明】
１・・・上枠          ２・・・下枠        ３・・・竪枠
１０・・浴室用折り戸                      １０ａ・・戸
１１・・上框          １２・・下框        １２ａ・・水止め舌片
１３・・竪框          １３ａ・・召合せ框
１３ｃ・・第１軸部                        １３ｄ・・第２軸部
１４・・ヒンジ体
１５・・ガラリ        １６・・パネル      １８・・把手
２０・・ヒンジ体の下部キャップ
２１・・軸支プレート   ２２・・係止部      ２３・・軸支凹部
２４・・止水部材
３０・・召合せキャップ
【図１】
0003653727.tif 000002
【図２】
0003653727.tif 000003
【図３】
0003653727.tif 000004
【図４】
0003653727.tif 000005
【図５】
0003653727.tif 000006
【図６】
0003653727.tif 000007
【図７】
0003653727.tif 000008